(57)【要約】 【課題】  締め付けトルクのロスを少なくする。【解決手段】  バッテリーポスト６０を取り囲むように回曲して形成された取付本体２０には箱部２２が備わる。箱部２２内にはバッテリーポスト６０に対して接近または離間する方向に移動可能なスライダ７０が収容される。スライダ７０は、移動の際常に箱部２２で覆われる部分にカム面７１を有する。箱部２２の天井壁２２Ｅにはねじ孔２２Ｈが形成され、このねじ孔２２Ｈに対して上方からボルト４０が螺合される。ボルト４０がその締め付け動作に基づいてカム面７１と摺接し合うことにより、スライダ７０がバッテリーポスト６０側に水平移動して受け部２１との間でバッテリーポスト６０を締め付ける。よって、バッテリーポスト６０を締め付ける際、取付本体２０の縮径変形を伴うことがない。【選択図】  図１
2006190547.tif 000002
【特許請求の範囲】
【請求項１】
バッテリーポストを取り囲むように回曲して形成された取付本体と、
前記取付本体の内面の一部を前記バッテリーポストの外周面に沿うように湾曲して形成された受け部と、
前記バッテリーポストを挟んで前記受け部と対向する位置に配置されるとともに前記バッテリーポストに対して接近または離間する方向に移動可能なスライダと、
前記取付本体に設けられ、前記バッテリーポストと対向する面がスライダ通過口として開口し、前記スライダを移動可能に包囲する箱部と、
前記箱部のうち前記スライダの上方を覆う部分に形成されたねじ孔に対して螺合可能なボルトとを備えてなり、
前記スライダは、前記移動の際常に前記箱部で覆われる部分に、カム面を有し、
前記ボルトがその締め付け動作に基づいて前記カム面と摺接し合うことにより、前記スライダが前記バッテリーポスト側に移動して前記受け部との間で前記バッテリーポストを締め付ける構成とされたことを特徴とするバッテリーターミナル。
【請求項２】
前記スライダは金属製とされ、前記カム面は鏡面仕上げされていることを特徴とする請求項１に記載のバッテリーターミナル。
【請求項３】
前記スライダにはガイド突部が側方に突出して設けられ、前記箱部のうち前記スライダの側方を覆う部分にはガイド突部が進入するとともに前記スライダの移動方向に延出するガイド孔が形成され、前記ガイド突部が前記ガイド孔の孔縁に当て止めされることで、前記バッテリーポストに対する過度の締め付けが規制される構成としたことを特徴とする請求項１または請求項２に記載のバッテリーターミナル。
【請求項４】
前記スライダは、前記バッテリーポストと対面する部分に、前記バッテリーポストの周面形状に対応した凹面状をなす締付面を有していることを特徴とする請求項１ないし請求項３のいずれかに記載のバッテリーターミナル。
【発明の詳細な説明】
【技術分野】
【０００１】
本発明は、自動車等に搭載されるバッテリーのバッテリーポストに電線を接続するのに用いられるバッテリーターミナルに関する。
【背景技術】
【０００２】
従来、この種のバッテリーターミナルとしては、以下の特許文献１に記載のものが知られている。このものは、金属帯材を環形に回曲して取付本体が形成されるとともに、その両端から一対の係合片が対向状に延出して形成され、この係合片にボルト孔が貫通して形成されている。そして、取付本体をバッテリーポストに嵌合した後、ボルト孔に通されたボルトにナットを螺合すると、両係合片が互いに引き寄せられて取付本体が縮径変形され、これにより、取付本体がバッテリーポストの外周面に押し付けられてバッテリポストとの接続がとられるようになっている。
【０００３】
ところで、近年はバッテリーポストの周囲に多くの部品が設置される傾向にあり、かかる場合に、上記のようにボルトを横締めするタイプのものでは、ボルトを締め付ける操作を行うための作業空間を確保し難いという事情がある。
そこで、バッテリーポスト周辺部品との干渉を回避するために、バッテリーポストの突出方向と平行にボルトの締め付け方向を設定した縦締めタイプのバッテリーターミナルが開発されている。例えば、以下の特許文献２に記載のものは、バッテリーポストを取り囲むように環形に回曲して形成された取付本体と、取付本体の両端から対向状に延出する一対の係合片と、両係合片に組み付けられて取付本体を縮径方向に変形させる締付部材と、締付部材に締め付け力を付与するボルトとナットとを備えて構成される。
【特許文献１】特開平８−３１５８８９号公報
【特許文献２】実開平６−５４２０５号公報
【発明の開示】
【発明が解決しようとする課題】
【０００４】
上記の場合、ボルトとナットとの螺合に基づいて締付部材が締め付けられ、この締付部材の締め付けに基づいて取付本体が縮径変形され、さらにこの取付本体の縮径変形に基づいてバッテリーポストにバッテリーターミナルが締め付け固定される。そうすると、締め付けに際して比較的厚肉に形成された取付本体を縮径変形させる必要があるから、ボルトとナットとの螺合力がバッテリーポストに対する締め付け力としてダイレクトに伝わり難く、締め付けトルクのロスが大きいという問題がある。
【０００５】
本発明は上記のような事情に基づいて完成されたものであって、締め付けトルクのロスを少なくすることを目的とする。
【課題を解決するための手段】
【０００６】
上記の目的を達成するための手段として、請求項１の発明は、バッテリーポストを取り囲むように回曲して形成された取付本体と、前記取付本体の内面の一部を前記バッテリーポストの外周面に沿うように湾曲して形成された受け部と、前記バッテリーポストを挟んで前記受け部と対向する位置に配置されるとともに前記バッテリーポストに対して接近または離間する方向に移動可能なスライダと、前記取付本体に設けられ、前記バッテリーポストと対向する面がスライダ通過口として開口し、前記スライダを移動可能に包囲する箱部と、前記箱部のうち前記スライダの上方を覆う部分に形成されたねじ孔に対して螺合可能なボルトとを備えてなり、前記スライダは、前記移動の際常に前記箱部で覆われる部分に、カム面が形成され、前記ボルトがその締め付け動作に基づいて前記カム面と摺接し合うことにより、前記スライダが前記バッテリーポスト側に移動して前記受け部との間で前記バッテリーポストを締め付ける構成とされたところに特徴を有する。
【０００７】
請求項２の発明は、請求項１に記載のものにおいて、前記スライダは金属製とされ、前記カム面は鏡面仕上げされているところに特徴を有する。
【０００８】
請求項３の発明は、請求項１または請求項２に記載のものにおいて、前記スライダにはガイド突部が側方に突出して設けられ、前記箱部のうち前記スライダの側方を覆う部分にはガイド突部が進入するとともに前記スライダの移動方向に延出するガイド孔が形成され、前記ガイド突部が前記ガイド孔の孔縁に当て止めされることで、前記バッテリーポストに対する過度の締め付けが規制される構成としたところに特徴を有する。
【０００９】
請求項４の発明は、請求項１ないし請求項３のいずれかに記載のものにおいて、前記スライダは、前記バッテリーポストと対面する部分に、前記バッテリーポストの周面形状に対応した凹面状をなす締付面を有しているところに特徴を有する。
【発明の効果】
【００１０】
＜請求項１の発明＞
箱部のうちスライダの上方を覆う部分に形成されたねじ孔に対してボルトを螺合させ、このボルトの締め付け動作に基づいてスライダに形成されたカム面とボルトとが摺接し合うことにより、スライダがバッテリーポスト側に移動して受け部との間でバッテリーポストを締め付けるから、従来と違って取付本体の縮径変形を伴うことがなく、締め付けトルクのロスを少なくできる。
また、スライダが箱部によって移動可能に包囲され、移動の際常に箱部で覆われる部分にカム面を有しているから、カム面が外部異物から保護されることとなり、カム面とボルトとの摺接動作の円滑性が保障され、ひいては締め付けトルクのロスの減少につながる。
【００１１】
＜請求項２の発明＞
スライダが金属製とされ、カム面が鏡面仕上げされているから、カム面とボルトとの摺接動作がより一層円滑となる。
＜請求項３の発明＞
スライダのガイド突部が箱部のガイド孔の孔縁に当て止めされることで、バッテリーポストに対する過度の締め付けが規制されるから、締め付けによりバッテリーターミナルが弾性限度を超えて亀裂を生じるようなことがなく、バッテリーターミナルに対して適正な保持力を得ることができる。
【００１２】
＜請求項４の発明＞
スライダがバッテリーポストと対面する部分にバッテリーポストの周面形状に対応した凹面状をなす締付面を有しているから、バッテリーポストの保持が安定する。
【発明を実施するための最良の形態】
【００１３】
＜実施形態１＞
本発明の実施形態１を図１ないし図６によって説明する。本実施形態に係るバッテリーターミナル１０は、導電性の金属板材によって形成され、バッテリーポスト６０に取り付け可能な取付本体２０とボルト４０とスライダ７０とを備える。
【００１４】
バッテリーポスト６０は、自動車等に搭載されるバッテリー６５に突設された電極であって、主に鉛を素材として上端側に向けて次第に径の小さくなったテーパ状の円柱形に形成されている。
【００１５】
取付本体２０は、図１に示すように、内面がバッテリーポスト６０の外周面に沿うように湾曲して形成された略半円状の受け部２１と、受け部２１の両端に連なるとともに幅方向に折り曲げられてボックス状をなす箱部２２と、受け部２１の下端に連なるとともに箱部２２の配設位置とは反対側に延出して形成された電線接続部２３とからなり、これらが一枚の金属板材から一体に形成されている。
【００１６】
電線接続部２３は、その先端側でいったん下方に屈曲され、その先に電線（図示せず）の端末を接続するための一対の圧着バレル２３Ａを有して構成される。
受け部２１は、バッテリーポスト６０の外形形状に対応して、上端側に向けて次第に径の小さくなったテーパ状に形成されている。
【００１７】
箱部２２は、前後両面が開口する略角筒状をなし、受け部２１に連なる左右一対の側壁２２Ａと、両側壁２２Ａのうちの一方（図１に示す右側）の下端から他方に向けて折り曲げられた底壁２２Ｂと、両側壁２２Ａのうちの他方の上端から一方に向けて折り曲げられた天井壁２２Ｅとからなる。箱部２２内にはスライダ７０が密接可能で、かつ移動可能に収容される。そして、箱部２２の前面は、スライダ７０の移動を許容するスライダ通過口（図示せず）として構成される。
【００１８】
ここで、底壁２２Ｂの先端部２２Ｆは他方の側壁２２Ａの直下方を通過したあと略直角に折れて他方の側壁２２Ａの外面下部に沿って少し立ち上がる形態とされ、また、天井壁２２Ｅの先端部２２Ｇは一方の側壁２２Ａの直上方を通過したあと略直角に折れて一方の側壁２２Ａの外面上部に沿って少しだけ垂れ下がる形態とされる。この底壁２２Ｂの先端部２２Ｆと天井壁２２Ｅの先端部２２Ｇとは、いずれも箱部２２が幅方向に開き変形するのを防止する開き防止部としての役割を有する。
【００１９】
天井壁２２Ｅは、その略中央部に、上方からボルト４０を螺合可能なねじ孔２２Ｈを有する。ねじ孔２２Ｈの孔壁には、その深さ方向の全長に亘って雌ねじ２２Ｋが切られている。ねじ孔２２Ｈに螺合されたボルト４０はその先端部が箱部２２内に突入しており、そのねじ締め操作に基づいて箱部２２内に配置されたスライダ７０をバッテリーポスト６０側に押し付けるようになっている。
また、両側壁２２Ａには、前後方向に延出する一対のガイド孔２２Ｍが貫通して形成されている。両ガイド孔２２Ｍは、互いに同じ高さ位置で左右対称形状をなし、横長のスリット孔として構成される。
【００２０】
続いてスライダ７０について説明すると、スライダ７０は、ステンレス等の比較的硬質な金属材によって略角ブロック状に形成されている。そして、スライダ７０は、略水平に配置された上面及び下面と、略垂直に切り立つ左右の両側面と、後方に向かうに従って昇り勾配となるテーパ状の前面と、後方に向かう従って昇り勾配となる後面とを有し、前面が本発明のカム面７１を構成するとともに、後面が本発明の締付面７２を構成する。かかるスライダ７０は、バッテリーポスト６０から離れて配される待機位置と、ボルト４０の締め付けに伴いバッテリーポスト６０側に近づいてバッテリーポスト６０を受け部２１との間で挟持する締付位置との間で変位可能とされる。
【００２１】
スライダ７０の締付面７２は、バッテリーポスト６０の外周面に沿った凹面状をなし、スライダ７０が締付位置に至ったときには、バッテリーポスト６０の外周面に密着状態で押し当てられる。
スライダ７０のカム面７１は、締付面７２よりも少し緩い勾配とされ、ボルト４０の先端とボルト４０の締め付け方向となる上下方向に沿って摺接し合うことにより、スライダ７０をバッテリーポスト６０側となる後方に移動させて締付位置に至らしめる役割を有する。また、カム面７１は、スライダ７０が待機位置と締付位置との間を変位する間、常に箱部２２で覆われた保護状態にある。さらに、このカム面７１は、鏡面仕上げによって平滑に仕上げられている。
【００２２】
スライダ７０の上面の幅方向略中央には、前後両面に開口する受け溝７３が延出して形成されている。受け溝７３には、締め付け開始前におけるボルト４０の先端先細り部分が進入して逃がされ、これにより、ボルト４０がねじ孔２２Ｈに対してある程度螺進された状態で保持されるようになっている。
【００２３】
スライダ７０の両側面には、箱部２２のガイド孔２２Ｍに内側から進入可能なガイド突部７４が突出して形成されている。ガイド突部７４は、スライダ７０の移動方向に延出する平板状に形成され、スライダ７０が待機位置にあるときには、その後端がガイド孔２２Ｍの長さ方向略中央よりも後方寄りに位置し（図４参照）、スライダ７０が締付位置にあるときには、その後端がガイド孔２２Ｍの孔縁後端とほぼ対面位置するようになっている（図５参照）。したがって、ボルト４０をこれ以上に締め付けても、ガイド突部７４がガイド孔２２Ｍの孔縁に当て止めされることでスライダ７０がバッテリーポスト６０側に移動することはなく、バッテリーポスト６０に対する過度の締め付けが防止される。
【００２４】
次に、本実施形態の作用効果を説明する。まず、スライダ７０を内側に包むようにして箱部２２をボックス状に組み立てて、スライダ７０を箱部２２に包囲させるとともにスライダ７０のガイド突部７４をガイド孔２２Ｍに進入させる。また、図２及び図３に示すように、ボルト４０を箱部２２のねじ孔２２Ｈに緩くねじ込み、ボルト４０の先端と箱部２２の底壁２２Ｂとの間でスライダ７０を待機位置にて軽く挟み込む。
次いで、図４から図５にかけて示すように、取付本体２０の受け部２１の内面をバッテリーポスト６０の外周面に沿わせて適合させる。続いて、トルクレンチ等を用いてボルト４０を締め付ける。すると、ボルト４０の先端がスライダ７０のカム面７１を摺動しつつ下降し、それに伴いスライダ７０がバッテリーポスト６０側へとガイド孔２２Ｍに沿って水平移動する。このとき、ボルト４０の回転力がスライダ７０に伝わっても、スライダ７０が箱部２２によって密接状態で収容されるとともにガイド突部７４がガイド孔２２Ｍに進入しているから、スライダ７０がボルト４０の回転方向にがたつくことはない。
【００２５】
その後、さらにボルト４０を締め付けると、スライダ７０の締付面７２がバッテリーポスト６０の外周面に当接してそこを押圧し、対向する受け部２１との間にバッテリーポスト６０を締め付け固定する（図６参照）。このとき、受け部２１の内面とスライダ７０の締付面７２の両曲率は、バッテリーポスト６０の曲率に対応させてあるから、バッテリーポスト６０との接触面積が確実に確保されて高い信頼性をもった電気接続がとられる。
【００２６】
こうしてスライダ７０が締付位置に達した後、さらにボルト４０を締め付けようとしても、ガイド突部７４がガイド孔２２Ｍの孔縁と干渉してそれ以上変位することはないから、バッテリーポスト６０に対する過度の締め付けが阻止される。したがって、締め付けに伴いバッテリーターミナル１０が弾性限度を超えて亀裂を生じるようなことがなく、バッテリーターミナル１０に対する適正な保持力を得ることができる。
【００２７】
以上のように、本実施形態のバッテリーターミナル１０によれば、ねじ孔２２Ｈに対して上方からボルト４０を螺合させ、このボルト４０の締め付け動作によってカム面７１とボルト４０とが摺接し合うことにより、スライダ７０がバッテリーポスト６０側に水平移動して受け部２１との間でバッテリーポスト６０を締め付け固定するから、従来と違って締め付け時に取付本体２０の縮径変形を伴うことがなく、締め付けトルクのロスを少なくできる。また、ナットを必要としないから、その分だけ部品点数を削減できる。
【００２８】
そして、スライダ７０が箱部２２内を移動可能とされ、移動の際常に箱部２２で覆われる部分にカム面７１を有しているから、カム面７１が外部異物から保護されることとなり、カム面７１とボルト４０との摺接動作の円滑性が保障される。しかも、スライダ７０が金属製とされ、カム面７１が鏡面仕上げされているから、カム面７１とボルト４０との摺接動作がより一層円滑となる。
【００２９】
＜実施形態２＞
図７は、本発明の実施形態２を示す。実施形態２では、ガイド孔２２Ｍの形態が実施形態１と異なるが、その他は実施形態１と同様であるから、構造上の同一部位には同一符号を付し、重複する説明は省略する。
【００３０】
すなわち、実施形態２に係るバッテリーターミナル１０には、箱部２２の両側壁２２Ａに、前後方向に延出するとともに両側壁２２Ａの後端面に開口する一対のガイド孔２２Ｍが切り欠き形成されている。
実施形態２によれば、箱部２２を組み付けた後、ガイド突部７４をガイド孔２２Ｍに進入させつつ、スライダ７０を箱部２２内にその後面から挿入させることで待機位置に至らしめることが可能とされる。また、ガイド突部７４とガイド孔２２Ｍの孔縁とが干渉することにより、バッテリーポスト６０に対する過度の締め付けが阻止されるのは、実施形態１と同様である。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、天井壁にねじ孔を形成していたが、本発明においては、天井壁には単なる貫通孔を形成しておき、この貫通孔に通じるナットを天井壁の上面にろう付け等して固着してもよい。
（２）本発明においては、ガイド孔の孔周りにガイド突部の移動位置の目印となる目盛り等のマーク部を形成し、このマーク部によってバッテリーポストに対する締め付け量が視認できるようにしてもよい。
【図面の簡単な説明】
【００３２】
【図１】本発明の実施形態１に係るバッテリーターミナルの分解斜視図
【図２】組み付けられたバッテリーターミナルの斜視図
【図３】その側面図
【図４】バッテリーターミナルをバッテリーポストに取り付ける前の状態を示す側断面図
【図５】スライダが待機位置に置かれてバッテリーポストを締め付ける前の状態を示す側断面図
【図６】スライダが締付位置に至ってバッテリーポストを締め付けた状態を示す側断面図
【図７】実施形態２に係るバッテリーターミナルの分解斜視図
【符号の説明】
【００３３】
１０…バッテリーターミナル
２０…取付本体
２１…受け部
２２…箱部
２２Ｅ…天井壁
２２Ｈ…ねじ孔
４０…ボルト
７０…スライダ
７１…カム面
【図１】
2006190547.tif 000003
【図２】
2006190547.tif 000004
【図３】
2006190547.tif 000005
【図４】
2006190547.tif 000006
【図５】
2006190547.tif 000007
【図６】
2006190547.tif 000008
【図７】
2006190547.tif 000009